【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
２つの眼と少なくとも１つの手とを有するヒトの患者の眼の光学性質を判定する方法であって、前記方法は、
非定常本体を有する光学装置を提供することであって、
前記本体は、２つの近位ポートおよび２つの遠位ポートを画定しており、
各近位ポートは、（ａ）それぞれのアイカップを含み、かつ（ｂ）前記患者の前記２つの眼のそれぞれの眼を受容するように構成されており、
前記本体は、それを通る２つの視覚チャネルを画定しており、前記２つの視覚チャネルの各々は、（ａ）前記２つの近位ポートのそれぞれの１つから前記２つの遠位ポートのそれぞれの１つまで延在しており、かつ（ｂ）開放視野であり、それにより、前記それぞれの眼が、前記それぞれの視覚チャネルを介して、前記本体の外部にあり、かつそこから離間した標的を見ることを可能にしている、ことと、
前記ヒトの患者が、前記患者が前記本体の移動の全ての自由度の完全な物理的制御を有するように、前記患者の少なくとも１つの手を用いて前記本体の重量全体を完全に支持することを可能にすることと、
前記２つの眼を前記それぞれの２つの近位ポートに近接して位置付けることと、
有効無限遠で前記２つの眼の焦点を合わせることと、
前記２つの近位ポートのうちの１つを介して、前記本体内に配置された光源からの光を前記それぞれの眼の中へ指向し、そこで、前記それぞれの眼が前記標的に焦点を合わせている間に波面を生じることと、
前記本体内に配置された波面収差計によって、前記２つの近位ポートのうちの前記１つを介して前記波面を受容することと、
前記本体内に配置され、かつ前記波面収差計に連結された判定論理によって、前記波面に基づいて前記それぞれの眼の屈折誤差を自動的に計算することと、
前記本体内に配置されたバッテリによって、前記光源、前記波面収差計、および前記判定論理に給電することと
を含む、方法。
【請求項２】
２つの眼と少なくとも１つの手とを有するヒトの患者による使用のための眼科装置であって、前記装置は、
非定常本体であって、前記非定常本体は、前記患者が前記本体の移動の全ての自由度の完全な物理的制御を有するように、前記患者の前記少なくとも１つの手によって完全に支持されるように構成されており、
前記本体は、２つの近位ポートおよび２つの遠位ポートを画定しており、
各近位ポートは、（ａ）それぞれのアイカップを含み、かつ（ｂ）前記患者の前記２つの眼のそれぞれの眼を受容するように構成されており、
前記本体は、それを通る２つの視覚チャネルを画定しており、前記２つの視覚チャネルの各々は、（ａ）前記２つの近位ポートのそれぞれの１つから前記２つの遠位ポートのそれぞれの１つまで延在しており、かつ（ｂ）開放視野であり、それにより、前記それぞれの眼が、前記視覚チャネルを介して、前記本体の外部にあり、かつそこから離間した標的を見ることを可能にしている、非定常本体と、
前記本体内に配置された光源であって、前記光源は、前記２つの近位ポートのうちの１つを介して、光を前記それぞれの眼の中へ指向し、そこで、前記それぞれの眼が前記標的に焦点を合わせている間に波面を生じるように構成されている、光源と、
前記本体内に配置された波面収差計であって、前記波面収差計は、前記２つの近位ポートのうちの前記１つを介して前記波面を受容するように構成されている、波面収差計と、
前記本体内に配置され、前記波面収差計に連結された判定論理であって、前記判定論理は、前記波面に基づいて前記それぞれの眼の屈折誤差を自動的に計算するように構成されている、判定論理と、
前記光源、前記波面収差計、および前記判定論理に給電するために、前記本体内に配置されたバッテリと
を備える、眼科装置。
【請求項３】
前記２つの視覚チャネルのうちの１つは、前記それぞれの眼の屈折誤差を判定するための光学要素がない、請求項２に記載の眼科装置。
【請求項４】
前記本体内に配置された第２の光源であって、前記第２の光源は、前記２つの近位ポートのうちの他方を介して、光を他方の眼の中へ指向し、そこで、前記他方の眼が前記標的に焦点を合わせている間に第２の波面を生じるように構成されている、第２の光源と、
前記本体内に配置された第２の波面収差計であって、前記第２の波面収差計は、前記２つの近位ポートのうちの他方を介して前記第２の波面を受容するように構成されている、第２の波面収差計と
をさらに備え、
前記判定論理は、前記第２の波面収差計に連結され、前記第２の波面に基づいて前記他方の眼の屈折誤差を自動的に計算するように構成されており、
前記第２の光源および前記第２の波面収差計は、前記バッテリによって給電される、請求項２に記載の眼科装置。
【請求項５】
前記本体内に配置されたキュー発生器であって、前記キュー発生器は、人間に知覚可能であるキューを生成するように構成されている、キュー発生器と、
前記キュー発生器と前記２つの視覚チャネルのうちの少なくとも１つの視覚チャネルとに動作可能に連結された配向論理であって、前記配向論理は、前記視覚チャネルに対して前記患者の２つの眼のうちの少なくとも１つの眼の配向を判定し、前記配向の関数として前記キュー発生器の動作を引き起こすように構成されている、配向論理と
をさらに備える、請求項２に記載の眼科装置。
【請求項６】
前記キューは、視覚キュー、音響キュー、および機械キューのうちの少なくとも１つを含む、請求項５に記載の眼科装置。
【請求項７】
前記キュー発生器は、前記視覚チャネルに対する前記眼の前記配向の関数として、振幅で変化する音を生じるように構成されている、請求項５に記載の眼科装置。
【請求項８】
前記キュー発生器は、前記視覚チャネルに対する前記眼の前記配向の関数として、周波数で変化する音を生じるように構成されている、請求項５に記載の眼科装置。
【請求項９】
前記キュー発生器は、前記視覚チャネルに対する前記眼の前記配向の関数として、デューティサイクルで変化する音を生じるように構成されている、請求項５に記載の眼科装置。
【請求項１０】
前記本体は、顎支持体がない、請求項２に記載の眼科装置。
【請求項１１】
前記２つの近位ポート間の眼内距離は、調整可能である、請求項２に記載の眼科装置。
【請求項１２】
前記判定論理は、前記２つの眼のうちの１つと前記それぞれの近位ポートとの間に配置された眼鏡レンズの処方が前記眼にとって所定の範囲内で正しいかどうかを計算するように構成されている、請求項２に記載の眼科装置。
【請求項１３】
前記判定論理は、前記処方が波面誤差の判定に基づいて正しいかどうかを自動的に計算するように構成されている、請求項１２に記載の眼科装置。
【請求項１４】
前記本体内に配置され、前記バッテリによって給電され、かつ前記標的を形成するように構成された別の光源をさらに備える、請求項２に記載の眼科装置。
【請求項１５】
前記２つの視覚チャネルのうちの１つは、前記それぞれの眼の屈折誤差を判定するための光学要素がない、請求項１に記載の方法。
【請求項１６】
前記２つの近位ポートのうちの他方を介して、前記本体内に配置された第２の光源からの光を前記それぞれの眼の中へ指向し、そこで、前記それぞれの眼が前記標的に焦点を合わせている間に第２の波面を生じることと、
前記本体内に配置された第２の波面収差計によって、前記２つの近位ポートのうちの他方を介して前記第２の波面を受容することと、
前記判定論理によって、前記第２の波面に基づいて前記それぞれの眼の第２の屈折誤差を自動的に計算することと、
前記バッテリによって前記第２の光源および前記第２の波面収差計に給電することと
をさらに含む、請求項１に記載の方法。
【請求項１７】
前記視覚チャネルに対して前記２つの眼のうちの少なくとも１つの配向を判定することと、
前記視覚チャネルに対する前記眼の前記配向の関数としてキューを生成することであって、前記キューは、人間に知覚可能である、ことと
をさらに含む、請求項１に記載の方法。
【請求項１８】
前記キューは、視覚キュー、音響キュー、および機械キューのうちの少なくとも１つを含む、請求項１７に記載の方法。
【請求項１９】
前記視覚チャネルに対する前記眼の前記配向の関数として、前記キューの振幅を変化させることをさらに含む、請求項１７に記載の方法。
【請求項２０】
前記視覚チャネルに対する前記眼の前記配向の関数として、前記キューの周波数を変化させることをさらに含む、請求項１７に記載の方法。
【請求項２１】
前記視覚チャネルに対する前記眼の前記配向の関数として、前記キューのデューティサイクルを変化させることをさらに含む、請求項１７に記載の方法。
【請求項２２】
前記本体は、顎支持体がない、請求項１に記載の方法。
【請求項２３】
前記２つの近位ポート間の眼内距離は、調整可能である、請求項１に記載の方法。
【請求項２４】
前記ヒトの患者の２つの眼のうちの１つと前記２つの近位ポートのうちの１つとの間にレンズを配置することと、
前記レンズの処方が前記眼にとって所定の範囲内で正しいかどうかを計算することと
をさらに含む、請求項１に記載の方法。
【請求項２５】
前記処方が正しいかどうかを判定することは、前記レンズの処方が波面誤差の判定に基づいて正しいかどうかを計算することを含む、請求項２４に記載の方法。
【請求項２６】
前記眼と前記近位ポートとの間に前記レンズを配置することは、前記眼と前記近位ポートとの間に、既知の光学性質を伴うレンズを配置することを含み、
前記レンズの処方が正しいかどうかを計算することは、前記配置されたレンズの前記既知の光学性質を使用して前記眼の光学性質を測定することを含む、請求項２４に記載の方法。
【請求項２７】
前記２つの眼のうちの１つと前記それぞれの近位ポートとの間に配置された眼鏡レンズの処方が前記眼にとって所定の範囲内で正しいかどうかを自動的に計算することをさらに含む、請求項１に記載の方法。
【請求項２８】
前記処方が波面誤差の判定に基づいて正しいかどうかを自動的に計算することをさらに含む、請求項２７に記載の方法。
【請求項２９】
前記本体内に配置され、かつ前記バッテリによって給電された別の光源によって、前記標的を形成することをさらに含む、請求項１に記載の方法。
【手続補正２】
【補正対象書類名】明細書
【補正対象項目名】００７２
【補正方法】変更
【補正の内容】
【００７２】
本発明の例証的実施形態は、その上にコンピュータ可読プログラムコードを伴うコンピュータ使用可能媒体を有する、コンピュータプログラム製品として実装されてもよい。コンピュータ可読コードは、従来のプロセスに従って、コンピュータシステムによって読み取り、利用されてもよい。
本願明細書は、例えば、以下の項目も提供する。
（項目１）
眼球系の光学性質を判定する方法であって、
予測ユーザが、前記予測ユーザの手で開放視野光学装置の重量全体を支持することを可能にするステップであって、前記装置は、第１の近位ポートから遠位ポートまで視覚チャネルをともに形成する、前記第１の近位ポートおよび前記遠位ポートを有し、前記予測ユーザは、前記装置の移動の全ての自由度の完全な物理的制御を有する、ステップと、
前記第１の近位ポートに近接して前記予測ユーザの眼を位置付けるステップと、
有効無限遠で前記眼の焦点を合わせるステップと、
前記眼の光学性質を測定するステップと、
を含む、方法。
（項目２）
前記眼の焦点を合わせるステップは、前記装置の外部の標的指標を視認することによって、有効無限遠で前記眼の焦点を合わせるステップを含む、項目１に記載の方法。
（項目３）
前記眼の焦点を合わせるステップは、少なくとも部分的に前記視覚チャネルを通して、有効無限遠で前記眼の焦点を合わせるステップを含む、項目１に記載の方法。
（項目４）
前記近位ポートを通して波面を生じるように前記眼を照射するステップと、
波面誤差を判定するステップと、
をさらに含む、項目１に記載の方法。
（項目５）
前記波面誤差から屈折処方を計算するステップをさらに含む、項目４に記載の方法。
（項目６）
前記装置の外部の標的指標を視認するステップは、前記遠位ポートを通して標的指標を視認するステップを含む、項目４に記載の方法。
（項目７）
前記装置に連結される標的光源によって標的光線を生成するステップと、
前記標的光線を用いて前記標的指標を生じるステップと、
をさらに含む、項目４に記載の方法。
（項目８）
標的指標を視認するステップは、前記遠位ポートから少なくとも約２０フィートの標的指標を視認するステップを含む、項目４に記載の方法。
（項目９）
前記眼の前記光学性質を測定するステップは、前記装置内の波面収差計を用いて、前記眼の前記光学性質を測定するステップを含む、項目１に記載の方法。
（項目１０）
前記装置は、前記第１の近位ポートとともに両眼構成を形成する、第２の近位ポートを備え、
前記方法はさらに、前記第２の近位ポートに近接して前記予測ユーザの他方の眼を位置付けるステップを含む、
項目１に記載の方法。
（項目１１）
有効無限遠で他方の眼の焦点を合わせるステップと、
前記他方の眼の光学性質を測定するステップと、
をさらに含む、項目１０に記載の方法。
（項目１２）
前記装置は、ハンドルを備え、
前記方法はさらに、前記予測ユーザの手によって前記ハンドルを保持するステップを含む、
項目１に記載の方法。
（項目１３）
前記予測ユーザの眼と前記第１の近位ポートとの間にレンズを配置するステップと、
眼鏡レンズの処方が、前記ユーザの眼にとって、所定の範囲内で正しいかどうかを計算するステップと、
をさらに含む、項目１に記載の方法。
（項目１４）
前記眼鏡レンズの処方が正しいかどうかを計算するステップは、波面誤差の判定に基づいて、前記眼鏡レンズの処方が正しいかどうかを計算するステップを含む、項目１３に記載の方法。
（項目１５）
前記予測ユーザの眼と前記第１の近位ポートとの間に前記レンズを配置するステップは、前記予測ユーザの眼と前記第１の近位ポートとの間に少なくとも２つのレンズを配置するステップを含む、項目１３に記載の方法。
（項目１６）
前記予測ユーザの眼と前記第１の近位ポートとの間に前記レンズを配置するステップは、前記予測ユーザの眼と前記第１の近位ポートとの間に既知の光学性質を伴うレンズを配置するステップを含み、
前記眼鏡レンズの処方が正しいかどうかを計算するステップは、前記配置されたレンズの前記既知の光学性質を使用して、前記眼の前記光学性質を測定するステップを含む、
項目１３に記載の方法。
（項目１７）
眼を受容するように構成される近位ポートを有する、非定常本体であって、前記本体はさらに、遠位ポートを有し、前記近位ポートから前記遠位ポートまで視覚チャネルを形成し、前記視覚チャネルは、前記眼が、前記本体の外部にあり、かつそこから離間した標的指標を見ることを可能にするように、開放視野である、非定常本体と、
前記近位ポートを通して受容される波面を受容して、眼球系の光学性質を判定することに寄与するように構成される、前記本体内の処理構成要素と、
を備える、光学装置。
（項目１８）
前記処理構成要素に給電するためのバッテリを前記本体内にさらに備える、項目１７に記載の光学装置。
（項目１９）
前記本体は、顎支持体がない、項目１７に記載の光学装置。
（項目２０）
前記本体はさらに、予測ユーザの少なくとも片手によって握持するためのハンドルを備える、項目１７に記載の光学装置。
（項目２１）
前記本体は、前記装置を可搬性にするように構成される、項目１７に記載の光学装置。
（項目２２）
前記処理構成要素は、オペレータ相互作用を伴わずに処方を判定することに寄与するように構成される、項目１７に記載の光学装置。
（項目２３）
前記本体は、両眼構成である、項目１７に記載の光学装置。
（項目２４）
前記処理構成要素は、前記眼と前記近位ポートとの間に配置される眼鏡レンズの処方が、前記眼にとって、所定の範囲内で正しいかどうかを計算するように構成される、項目１７に記載の光学装置。
（項目２５）
光学装置であって、
眼を受容するように構成される近位ポートを有する、本体であって、前記本体はさらに、遠位ポートを有し、前記近位ポートから前記遠位ポートまで視覚チャネルを形成し、前記遠位ポートは、少なくとも部分的に光軸を画定する、本体と、
前記装置の前記本体と連結される、標的光源であって、前記標的光源は、前記本体の外側の標的上に標的指標を生じる、標的光線を生成するように構成され、前記標的光源は、前記標的指標を前記光軸と実質的に整合させるように構成される、標的光源と、
前記眼のための処方を判定するための光学部と、
を備える、装置。
（項目２６）
前記視覚チャネルは、実質的に線形である、項目２５に記載の装置。
（項目２７）
前記視覚チャネルは、複数の分岐サブチャネルを有する、項目２５に記載の装置。
（項目２８）
前記標的光源は、レーザまたは発光ダイオードを備える、項目２５に記載の装置。
（項目２９）
前記標的光源は、パターンを投影する空間的フィルタリング要素とともに、レーザまたは発光ダイオードを備える、項目２５に記載の装置。
（項目３０）
前記標的光源は、時間で変動するパターンを投影する空間的フィルタリング要素とともに、レーザまたは発光ダイオードを備える、項目２５に記載の装置。
（項目３１）
前記標的光源は、固定して連結され、前記本体に対して静止している、項目２５に記載の装置。
（項目３２）
前記本体内に光学部をさらに備え、前記光学部は、前記光軸に交差する標的指標を有する、項目２５に記載の装置。
（項目３３）
少なくとも部分的に固定された標的指標を生じるように構成される、網膜光源をさらに備え、前記標的光源は、前記近位ポートを通して網膜光線を生じるように構成される、項目３２に記載の装置。
（項目３４）
前記標的指標は、光を含む、項目３３に記載の装置。
（項目３５）
前記標的指標は、物理的オブジェクトを含む、項目２５に記載の装置。
（項目３６）
前記標的光源は、前記標的光線の少なくとも一部分を前記光軸と同軸上に実質的に整合させるように構成される、項目２５に記載の装置。
（項目３７）
前記標的光源は、前記標的光線の少なくとも一部分に、前記光軸と角度を形成させるように構成される、項目２５に記載の装置。
（項目３８）
前記標的光源は、前記標的光線の少なくとも一部分を、前記光軸と略平行にさせ、かつ前記光軸から離間させるように構成される、項目２５に記載の装置。
（項目３９）
前記本体は、第２の近位ポートおよび第２の遠位ポートを有するチャネルを形成し、前記本体は、両眼構成を形成する、項目２５に記載の装置。
（項目４０）
前記第２のチャネルは、前記眼の処方を判定するための光学部がない、項目３９に記載の装置。
（項目４１）
眼の処方または光学系の眼球収差を判定する方法であって、
視覚チャネルをともに形成する近位ポートおよび遠位ポートを有する、光学装置を提供するステップであって、前記遠位ポートは、少なくとも部分的に光軸を画定し、前記光学装置はまた、標的指標を生じる標的光線を生成するように構成される、標的光源も有する、光学装置と、
前記光学系を前記近位ポートと実質的に整合させるステップと、
前記光学装置の外側の標的上に前記標的指標を形成するステップと、
前記標的指標を前記光軸と実質的に整合させるステップと、
波面を生じる網膜光源を用いて、前記光学系の眼を照射するステップと、
前記眼の眼球収差を判定するために波面収差測定を使用するステップと、
を含む、方法。
（項目４２）
特性評価されている前記光学系は、生物の眼である、項目４１に記載の方法。
（項目４３）
特性評価されている前記光学系は、生物の眼および矯正レンズである、項目４１に記載の方法。
（項目４４）
前記標的指標を前記光軸と整合させた後に、前記眼の前記眼球収差を取得するステップをさらに含む、項目４１に記載の方法。
（項目４５）
前記標的指標を形成するステップは、前記遠位ポートを通して前記眼に可視的である視覚指標を形成するステップを含み、前記視覚指標は、別の光源から形成され、
前記標的指標を前記光軸と整合させるステップは、前記視覚指標を前記光軸と整合させるステップを含む、
項目４１に記載の方法。
（項目４６）
前記標的指標を形成するステップは、前記眼に可視的である物理的オブジェクトから視覚指標を形成するステップを含み、
前記標的指標を前記光軸と整合させるステップは、前記視覚指標を前記光軸と整合させるステップを含む、
項目４１に記載の方法。
（項目４７）
前記標的は、前記装置から少なくとも約２０フィートにある、項目４１に記載の方法。
（項目４８）
前記標的指標を前記光軸と整合させるステップは、前記標的により近くに、またはそこからより遠くに移動するステップを含む、項目４１に記載の方法。
（項目４９）
前記標的は、前記装置から既知の距離にあり、
前記方法はさらに、前記眼が２０フィート超離れた標的に焦点を合わせていたという仮定に基づいて、前記眼球収差を推定するために前記既知の距離を使用するステップを含む、
項目４１に記載の方法。
（項目５０）
視覚チャネルをともに形成する近位ポートおよび遠位ポートを有する、光学装置を提供するステップであって、前記遠位ポートは、少なくとも部分的に光軸を画定する、ステップと、
生物の眼を前記近位ポートと整合させるステップであって、前記眼は、前記装置の外部の標的指標まで前記遠位ポートを通して視認する、ステップと、
前記光軸に対する前記眼の配向を判定するステップと、
前記光軸に対する前記眼の前記配向の関数としてのキューを生成するステップであって、前記キューは、人間に知覚可能である、ステップと、
を含む、光学的方法。
（項目５１）
前記キューは、視覚キュー、音響キュー、および機械キューのうちの少なくとも１つを含む、項目５０に記載の光学的方法。
（項目５２）
前記キューを生成するステップは、前記光軸に対する前記眼の配向の関数として、振幅が変化する音を生じるステップを含む、項目５０に記載の光学的方法。
（項目５３）
前記キューを生成するステップは、前記光軸に対する前記眼の配向の関数として、周波数が変化する音を生じるステップを含む、項目５０に記載の光学的方法。
（項目５４）
前記キューを生成するステップは、前記光軸に対する前記眼の配向の関数として、デューティサイクルが変化する音を生じるステップを含む、項目５０に記載の光学的方法。
（項目５５）
前記眼の前記配向を判定するステップは、波面収差測定技法を使用するステップを含む、項目５０に記載の光学的方法。
（項目５６）
前記光学装置は、複数の標的光源を備え、各標的光源は、前記標的指標を選択的に生成するように構成され、
前記方法はさらに、代替として、前記光軸との整合に向かって前記眼を指向するように、前記標的光源のうちの１つまたはそれを上回るものを照射するステップを含む、
項目５０に記載の光学的方法。
（項目５７）
前記光学装置は、前記標的指標を形成するための光線を生じるように構成される標的光源を備え、
前記方法はさらに、前記光軸との整合に向かって前記眼を指向するように、前記標的光源を移動させるステップを含む、
項目５０に記載の光学的方法。
（項目５８）
前記眼は、キューの生成に応答して、前記光軸との整合に向かって移動する、項目５０に記載の光学的方法。
（項目５９）
生物の眼の眼球収差を測定するための光学装置であって、
近位ポートおよび遠位ポートであって、前記近位ポートおよび前記遠位ポートは、前記近位ポートから前記遠位ポートまで視覚チャネルをともに形成し、前記遠位ポートは、少なくとも部分的に光軸を画定する、近位ポートおよび遠位ポートと、
人間に知覚可能であるキューを生成するように構成される、キュー発生器と、
前記キュー発生器および前記視覚チャネルに動作可能に連結され、前記光軸に対する前記生物の眼の配向を判定するように、および前記配向の関数として前記キュー発生器の動作を引き起こすように構成される、配向論理と、
を備える、光学装置。
（項目６０）
前記キュー発生器は、視覚キュー、音響キュー、および機械キューのうちの少なくとも１つを生じるように構成される、項目５９に記載の光学装置。
（項目６１）
開放視野視覚チャネルをさらに備える、項目５９に記載の光学装置。
（項目６２）
前記視覚チャネルは、円錐形状を有し、前記近位ポートに向かった前記円錐形状の頂点および前記遠位ポートに向かった前記円錐形状の基底を伴う、項目６１に記載の光学装置。
（項目６３）
波面収差計をさらに備える、項目５９に記載の光学装置。
（項目６４）
両眼構成で本体をさらに備える、項目５９に記載の光学装置。
（項目６５）
各標的光源が標的指標を選択的に生成するように構成される、複数の標的光源と、
代替として、前記標的光源のうちの１つまたはそれを上回るものを照射して、前記光軸との整合に向かって前記眼を指向するように構成される、コントローラと、
をさらに備える、項目５９に記載の光学装置。
（項目６６）
標的指標を生成するように構成される、標的光源をさらに備え、前記標的光源は、前記遠位ポートに対して移動可能である光線を照射するように構成される、項目５９に記載の光学装置。